(57)【要約】【課題】画像表示のさらなる高品位化・高精細化を図るためにアドレス期間を短縮しても、画質劣化を生ずることなく表示画像の十分な輝度を得ることができるプラズマディスプレイ装置およびその駆動方法ならびにプラズマディスプレイ駆動回路を実現する。【解決手段】走査電極駆動回路２１が、第２の放電維持電極１０４の１走査ライン毎に、電荷の書き込みおよび維持が行われない期間中には第１の電位を出力し、その第１の電位の出力に続いて電荷を書き込むための期間中には走査パルスである第２の電位を出力し、その第２の電位に続いて、第１の電位と第２の電位との間の電位であって画像信号パルスと重畳しても放電が開始しない範囲内の電位である第３の電位を出力する。【選択図】　　　図１
2004029096.tif 000002
【特許請求の範囲】
【請求項１】
複数の放電維持電極が配設形成された第１の基板と、複数のアドレス電極が配列形成された第２の基板とを、前記放電維持電極と前記アドレス電極とが略直交するように所定の間隙を隔てて対向配置して、前記放電維持電極と前記アドレス電極との各交差部ごとにそれぞれ画素が形成されたプラズマディスプレイパネルと、１走査ライン毎に電荷を書き込むための走査パルスを前記放電維持電極に印加する走査電極駆動回路と、前記走査パルスと重畳して各画素の放電・非放電を選択するための画像信号パルスを前記アドレス電極に印加するアドレス電極駆動回路とを有するプラズマディスプレイ装置であって、
前記走査電極駆動回路が、前記放電維持電極の１走査ライン毎に、電荷の書き込みおよび維持が行われない期間中には第１の電位を出力し、その第１の電位の出力に続いて、電荷を書き込むための期間中には前記走査パルスである第２の電位を出力し、その第２の電位に続いて、前記第１の電位と前記第２の電位との間の電位であって前記画像信号パルスと重畳しても放電が開始することのない状態となるような範囲内の電位である第３の電位を出力する
ことを特徴とするプラズマディスプレイ装置。
【請求項２】
前記走査電極駆動回路が、前記第１の電位と前記第２の電位との電位差を発生させる電源と、前記第２の電位と前記第３の電位との電位差を発生させる電源とを備えており、それらのスイッチングにより前記出力を行う
ことを特徴とする請求項１記載のプラズマディスプレイ装置。
【請求項３】
前記走査電極駆動回路が、前記第１の電位と前記第３の電位との電位差を発生する電源を備えると共に、第２の電位を発生させるための電気容量を備えている
ことを特徴とする請求項１記載のプラズマディスプレイ装置。
【請求項４】
前記電気容量が、前記プラズマディスプレイパネルの形成材料を用いてなるものである
ことを特徴とする請求項１記載のプラズマディスプレイ装置。
【請求項５】
前記走査電極駆動回路が、前記第１の電位と前記第３の電位との電位差を発生する電源を備えると共に、第２の電位を発生させるためのＬＣ共振回路を備えている
ことを特徴とする請求項１記載のプラズマディスプレイ装置。
【請求項６】
前記放電維持電極が、１走査ライン毎に第１の放電維持電極および第２の放電維持電極の２本ずつを一組とした放電電極対として配設されており、そのうちの一方の放電維持電極は複数ラインで電気的に共通化されて共通電位が印加され、他方の放電維持電極は各ライン毎で独立して走査パルスが印加されて駆動されることが可能に設定されている
ことを特徴とする請求項１記載のプラズマディスプレイ装置。
【請求項７】
複数の放電維持電極が配設形成された第１の基板と、複数のアドレス電極が配列形成された第２の基板とを、前記放電維持電極と前記アドレス電極とが略直交するように所定の間隙を隔てて対向配置して、前記放電維持電極と前記アドレス電極との各交差部ごとにそれぞれ画素が形成されたプラズマディスプレイパネルにおける、１走査ライン毎に電荷を書き込むための走査パルスを前記放電維持電極に印加し、前記走査パルスと重畳して各画素の放電・非放電を選択するための画像信号パルスを前記アドレス電極に印加することで前記各画素のプラズマ放電を制御して画像表示を行うプラズマディスプレイ装置の駆動方法であって、
前記放電維持電極の１走査ライン毎に、電荷の書き込みおよび維持が行われない期間中には第１の電位を印加し、その第１の電位の出力に続いて、電荷を書き込むための期間中には前記走査パルスである第２の電位を印加し、その第２の電位に続いて、前記第１の電位と前記第２の電位との間の電位であって前記画像信号パルスと重畳しても放電が開始することがない状態となるような範囲内の電位である第３の電位を印加する
ことを特徴とするプラズマディスプレイ装置の駆動方法。
【請求項８】
前記第１の電位と前記第２の電位との電位差を発生させる電源によって前記第１の電位と前記第２の電位とをそれぞれ発生し、かつ前記第２の電位と前記第３の電位との電位差を発生させる電源によって前記第２の電位と前記第３の電位とをそれぞれ発生する
ことを特徴とする請求項７記載のプラズマディスプレイ装置の駆動方法。
【請求項９】
前記第１の電位と前記第３の電位との電位差を発生する電源によって前記第１の電位と前記第３の電位とをそれぞれ発生し、かつ前記第２の電位を発生させるための電気容量によって前記第２の電位を発生する
ことを特徴とする請求項７記載のプラズマディスプレイ装置の駆動方法。
【請求項１０】
前記電気容量が、前記プラズマディスプレイパネルの形成材料を用いてなるものである
ことを特徴とする請求項７記載のプラズマディスプレイ装置の駆動方法。
【請求項１１】
前記第１の電位と前記第３の電位との電位差を発生する電源によって前記第１の電位と前記第３の電位とをそれぞれ発生し、かつ前記第２の電位を発生させるためのＬＣ共振回路によって前記第２の電位を発生する
ことを特徴とする請求項７記載のプラズマディスプレイ装置の駆動方法。
【請求項１２】
前記放電維持電極が、１走査ライン毎に第１の放電維持電極および第２の放電維持電極の２本ずつを一組とした放電電極対として配設されており、そのうちの一方の放電維持電極は複数ラインで電気的に共通化されて共通電位が印加され、他方の放電維持電極は各ライン毎で独立して走査パルスが印加されて駆動されることが可能に設定されているものである
ことを特徴とする請求項７記載のプラズマディスプレイ装置の駆動方法。
【請求項１３】
複数の放電維持電極が配設形成された第１の基板と、複数のアドレス電極が配列形成された第２の基板とを、前記放電維持電極と前記アドレス電極とが略直交するように所定の間隙を隔てて対向配置して、前記放電維持電極と前記アドレス電極との各交差部ごとにそれぞれ画素が形成されたプラズマディスプレイパネルにおける、１走査ライン毎に電荷を書き込むための走査パルスを前記放電維持電極に印加し、前記走査パルスと重畳して各画素の放電・非放電を選択するための画像信号パルスを前記アドレス電極に印加することで前記各画素のプラズマ放電を制御して画像表示を行うプラズマディスプレイ駆動回路であって、
前記放電維持電極の１走査ライン毎に、電荷の書き込みおよび維持が行われない期間中には第１の電位を印加し、その第１の電位の出力に続いて、電荷を書き込むための期間中には前記走査パルスである第２の電位を印加し、その第２の電位に続いて、前記第１の電位と前記第２の電位との間の電位であって前記画像信号パルスと重畳しても放電が開始することのない状態となるような範囲内の電位である第３の電位を印加する
ことを特徴とするプラズマディスプレイ駆動回路。
【請求項１４】
前記第１の電位と前記第２の電位との電位差を発生させる電源によって前記第１の電位と前記第２の電位とをそれぞれ発生し、かつ前記第２の電位と前記第３の電位との電位差を発生させる電源によって前記第２の電位と前記第３の電位とをそれぞれ発生する
ことを特徴とする請求項１３記載のプラズマディスプレイ駆動回路。
【請求項１５】
前記第１の電位と前記第３の電位との電位差を発生する電源によって前記第１の電位と前記第３の電位とをそれぞれ発生し、かつ前記第２の電位を発生させるための電気容量によって前記第２の電位を発生する
ことを特徴とする請求項１３記載のプラズマディスプレイ駆動回路。
【請求項１６】
前記電気容量が、前記プラズマディスプレイパネルの形成材料を用いてなるものである
ことを特徴とする請求項１３記載のプラズマディスプレイ駆動回路。
【請求項１７】
前記第１の電位と前記第３の電位との電位差を発生する電源によって前記第１の電位と前記第３の電位とをそれぞれ発生し、かつ前記第２の電位を発生させるためのＬＣ共振回路によって前記第２の電位を発生する
ことを特徴とする請求項１３記載のプラズマディスプレイ駆動回路。
【請求項１８】
前記放電維持電極が、１走査ライン毎に第１の放電維持電極および第２の放電維持電極の２本ずつを一組とした放電電極対として配設されており、そのうちの一方の放電維持電極は複数ラインで電気的に共通化されて共通電位が印加され、他方の放電維持電極は各ライン毎で独立して走査パルスが印加されて駆動されることが可能に設定されているものである
ことを特徴とする請求項１３記載のプラズマディスプレイ駆動回路。
【発明の詳細な説明】
【０００１】
【発明の属する技術分野】
本発明は、プラズマ放電を用いた面放電型のようなプラズマディスプレイ装置およびプラズマディスプレイ装置の駆動方法ならびにプラズマディスプレイ駆動回路に関する。
【０００２】
【従来の技術】
プラズマ放電を利用したフラットパネル型（平面型）表示装置としては、例えば特開平５−３０７９３５号公報に開示されたようなものが知られている。いわゆる３電極構造の面発光型のプラズマディスプレイパネル（以下、プラズマディスプレイパネルをＰＤＰと呼ぶ場合あり）は、一般に、互いに平行に隣接して設けられた第１の放電維持電極および第２の放電維持電極という２本ずつを一組とした放電電極対が複数行、配列形成され、それと間隙を隔てて直交するようにアドレス電極が複数列、配列形成されて、その各交差部分ごとにそれぞれ実質的に独立した画素が形成される構造となっている。
【０００３】
さらに詳細には、表示面側（前面側）に位置する第１のガラス基板の内面（後述する第２のガラス基板と対面する側の面）にはストライプ状（短冊状）の第１の放電維持電極は複数ライン（あるいは全ライン）で電気的に共通化され（共通電位（コモン電位）が与えられるように設定され）、第２の放電維持電極は各ライン毎で独立して走査パルスが印加されて駆動されることが可能に設定されている。
【０００４】
２本で一対の第１および第２の放電維持電極と１本のアドレス電極とが互いに直交してなる各交点が、それぞれ実質的に独立した１つの発光領域となる。透明導電層によって形成される一対の放電維持電極はいずれもその抵抗率が高いことから、導電率の高い金属層を用いたいわゆるバス電極が、第１および第２の放電維持電極の反対側の側縁に沿って各々被着形成されている。それら放電維持電極対を被覆するように誘電体層が設けられ、さらに保護層がそれらの表面を覆うように形成されている。
【０００５】
表示面とは逆の背面側に、所定の間隙を隔てて位置する第２のガラス基板の内面（前述した第１のガラス基板と対面する側の面）には、ストライプ状の複数のアドレス電極が配列形成され、それらを被覆するように誘電体層が設けられている。これら複数のアドレス電極どうしの間には、隔壁が所定の間隔ごとに一つずつ互いに平行に配列形成されている。その複数の隔壁どうしの間ごとに、プラズマ放電によって発生した紫外線によって励起されて例えば赤（Ｒ）、緑（Ｇ）、青（Ｂ）のような各色にそれぞれ対応した発光を行うための蛍光体層が、その３色（Ｒ，Ｇ，Ｂ）に対応して例えばＲ，Ｇ，Ｂ，Ｒ，Ｇ，Ｂ…のような順番で各々塗布されている。第１のガラス基板と第２のガラス基板とを所定の間隙を設けて対向配置してなる表示容器内には、上記のようなプラズマ放電に適したガスが気密封入されている。
【０００６】
走査期間を短縮する駆動方法としては、例えば特開２００１−５１６４９号公報にて提案されたものなどがあるが、そのような従来の方法では、いずれも、走査パルスの重なりを放電の形成遅れ時間以内としており、またパルス波形も方形波を前提にしている。
【０００７】
【発明が解決しようとする課題】
しかしながら、プラズマディスプレイパネルにおける従来の駆動方法では一般に、１つのフィールドは複数のサブフィールドで構成されるが、その１つのサブフィールド（ＳＦ）は、リセット期間、アドレス期間、サステイン期間を有している（そのような各タイミングに分けることができる）。
【０００８】
これらの各期間のうち、実質的に発光に寄与するのはサステイン期間である。従って、パネル輝度を上げるためには、相対的にリセット期間またはアドレス期間をできるだけ短くすることが望ましい。しかし、アドレス期間では全てのラインで走査パルスがそれぞれ時間的に独立していなければならないのであるから、アドレス期間としては｛走査パルス幅｝×｛ライン数｝だけの時間を要することとなる。
【０００９】
このため、例えば画像表示のさらなる高品位化・高精細化を図るためには、ＳＦ数を増やすことや多画素化や多階調表示を行うことが必要となるが、それに起因して、１フィールド中のサステイン期間に割り当てられる時間が減少することとなり、表示画像の十分な輝度が得られなくなるという問題がある。
【００１０】
他方、そのような１フィールド中のサステイン期間の割り当て時間を減少させないようにするために走査パルス幅を狭めると、アドレス放電の発生確率が低下してしまい、画質劣化を生ずることになるという問題がある。
【００１１】
本発明はかかる問題点に鑑みてなされたもので、その目的は、画像表示のさらなる高品位化・高精細化を図るためにＳＦ数を増やすことや多画素化や多階調表示を行うためにアドレス期間を短縮しても、画質劣化を生ずることなく、表示画像の十分な輝度を得ることができるプラズマディスプレイ装置およびその駆動方法ならびにプラズマディスプレイ駆動回路を提供することにある。
【００１２】
【課題を解決するための手段】
本発明によるプラズマディスプレイ装置は、複数の放電維持電極が配列形成された第１の基板と、複数のアドレス電極が配列形成された第２の基板とを、放電維持電極とアドレス電極とがほぼ直交するように所定の間隙を隔てて対向配置して、放電維持電極とアドレス電極との各交差部ごとにそれぞれ画素が形成されたプラズマディスプレイパネルと、１走査ライン毎に電荷を書き込むための走査パルスを放電維持電極に印加する走査電極駆動回路と、走査パルスと重畳して各画素の放電・非放電を選択するための画像信号パルスをアドレス電極に印加するアドレス電極駆動回路とを有するプラズマディスプレイ装置であって、走査電極駆動回路が、放電維持電極の１走査ライン毎に、電荷の書き込みおよび維持が行われない期間中には第１の電位を出力し、その第１の電位の出力に続いて電荷を書き込むための期間中には走査パルスである第２の電位を出力し、その第２の電位に続いて、第１の電位と第２の電位との間の電位であって画像信号パルスと重畳しても放電が開始しない範囲内の電位である第３の電位を出力する、というものである。
【００１３】
本発明によるプラズマディスプレイ装置の駆動方法は、放電維持電極の１走査ライン毎に、電荷の書き込みおよび維持が行われない期間中には第１の電位を印加し、その第１の電位の出力に続いて電荷を書き込むための期間中には走査パルスである第２の電位を印加し、その第２の電位に続いて、第１の電位と第２の電位との間の電位であって画像信号パルスと重畳しても放電が開始しない範囲内の電位である第３の電位を印加する、というものである。
【００１４】
本発明によるプラズマディスプレイ駆動回路は、放電維持電極の１走査ライン毎に、電荷の書き込みおよび維持が行われない期間中には第１の電位を印加し、その第１の電位の出力に続いて、電荷を書き込むための期間中には走査パルスである第２の電位を印加し、その第２の電位に続いて、第１の電位と第２の電位との間の電位であって画像信号パルスと重畳しても放電が開始しない範囲内の電位である第３の電位を印加する、というものである。
【００１５】
本発明によるプラズマディスプレイ装置およびプラズマディスプレイ装置の駆動方法ならびにプラズマディスプレイ駆動回路では、ある１つの走査ラインへと出力される（従って各走査ラインの放電維持電極までの伝達系に起因した波形鈍り等を無視すれば、理論的にはそのままの波形で放電維持電極に印加される）走査電圧波形は、第１の電位から第２の電位に変化し、第１と第２の間にある第３の電位に変化した後、第１の電位に戻る波形となる。他方、アドレス電極には一般的な波形方式の画像信号パルス（データパルス）が印加される。
【００１６】
プラズマ放電は外部から印加された電圧と壁電圧とが重畳された電圧と、その電圧が印加されている時間との関数によって確率的に発生する。従って、電圧が高いほど、また印加時間が長いほど、プラズマ放電が発生しやすい傾向にある。走査パルスの走査デューティ（パルス幅）の時間内では放電を発生させず、また走査デューティの時間外ではデータパルスと重畳しても放電を開始しないような電位として第３の電位が設定されている。そして走査パルスの走査デューティ時間内では画像信号パルスと重畳して放電が発生し得る状態となるような電位として第２の電位が設定されている。
【００１７】
第２の電位でアドレス放電が開始すると、その第２の電位の後に継続して出力（印加）される第３の電位によって、近隣の他の走査ライン（放電維持電極）には走査電圧波形に起因したクロストークのような悪影響を与えることなく、より長い時間に亘っての、安定的な放電のための電荷の書き込みないし維持が行われる。
【００１８】
なお、上記の走査電極駆動回路は、より具体的には、第１の電位と第２の電位との電位差を発生させる電源と、第２の電位と第３の電位との電位差を発生させる電源とを備えており、それらのスイッチングによって上記のような走査電圧波形の出力を行うようにしてもよい。
【００１９】
また、上記の走査電極駆動回路は、第１の電位と第３の電位との電位差を発生する電源を備えると共に、第２の電位を発生させるための電気容量を備えているようにしてもよい。
【００２０】
また、その電気容量は、プラズマディスプレイパネルの形成材料を用いてなるものであるようにしてもよい。すなわち、別段にコンデンサ素子のような回路部品を用いなくとも、上記のような第２の電位を発生させるための電気容量を、プラズマディスプレイパネルの形成材料あるいはその構造の一部分によって生じる電気的寄生容量などによって簡易で安価に作り込むことが可能である。
【００２１】
また、上記の走査電極駆動回路は、第１の電位と第３の電位との電位差を発生する電源を備えると共に、第２の電位を発生させるためのＬＣ共振回路を備えているようにしてもよい。
【００２２】
また、上記の放電維持電極は、１走査ライン毎に第１の放電維持電極および第２の放電維持電極の２本ずつを一組とした放電電極対として配設されており、そのうちの一方の放電維持電極は複数ラインで電気的に共通化されて共通電位が印加され、他方の放電維持電極は各ライン毎で独立して走査パルスが印加されて駆動されることが可能に設定されているものとしてもよい。
【００２３】
【発明の実施の形態】
以下、本発明の実施の形態について図面を参照して詳細に説明する。
【００２４】
図１は、本発明の一実施の形態に係るプラズマディスプレイ装置の概要構成を表したものである。なお、本発明の実施の形態に係る駆動方法は、このプラズマディスプレイ装置の動作あるいは作用によって具現化されるものであり、またその駆動装置は、このプラズマディスプレイ装置の内部に内蔵されて用いられるものであるから、以下、それらを併せて説明する。
【００２５】
このプラズマディスプレイ装置は、ＰＤＰ（プラズマディスプレイパネル）２０と、走査電極駆動回路２１と、共通電極駆動回路２２と、アドレス電極駆動回路２３と、制御回路２４とから、その主要部が構成されている。
【００２６】
ＰＤＰ２０には、図２に模式的に表したように、所定の間隔を置いて互いに平行に設けられた第１の放電維持電極１０３と第２の放電維持電極１０４とを２本で一対とする放電維持電極対１０５が複数組平行に配列されることにより複数行の走査ラインが形成されている。その走査ラインに対して所定の間隙を隔てて直交するように複数のアドレス電極１０７が平行に配列されることにより複数列のアドレスラインが形成されている。そのマトリックス（行列）状に交差するように配設された走査ラインとアドレスラインとの各交差部ごと（換言すれば放電維持電極対１０５とアドレス電極１０７との各交差部ごと）に、それぞれ実質的に独立した単位発光領域すなわち画素が形成されている。
【００２７】
表示面側に位置する第１のガラス基板１０１の内面に設けられた第１の放電維持電極１０３は、複数の走査ラインどうしで電気的に共通化されて、いわゆるコモン電位が印加されるように設定されている。他方、第２の放電維持電極１０４は、各走査ラインごとに独立して走査電圧波形が印加されて駆動されるように設定されている。
【００２８】
透明導電層によって形成される第１の放電維持電極１０３および第２の放電維持電極１０４は、その抵抗率が高いことから、導電率の高い金属層によるいわゆるバス電極１０３ｂ，１０４ｂがそれぞれ第１の放電維持電極１０３および第２の放電維持電極１０４の各対どうしの直近側とは反対側の側縁に沿って被着形成されている。
【００２９】
第１の放電維持電極１０３および第２の放電維持電極１０４を被覆するように誘電体層１０９が例えば印刷によって設けられている。さらに、例えばＭｇＯからなる保護層１１０が形成されている。背面側に位置する第２のガラス基板１０２の内向面（第１のガラス基板１０１に対して所定の間隙を隔てて対向する面）上には、ストライプ状のアドレス電極１０７が複数本、配列形成されている。
【００３０】
それらのアドレス電極１０７を被覆するように、誘電体層１０９が例えば印刷などによって設けられている。隣り合う各アドレス電極１０７どうしの間には、それぞれ隔壁１０６が所定の間隔を置いて互いに平行に配列形成されている。
【００３１】
これら複数のアドレス電極どうしの間には、隔壁が一つずつ互いに平行に配列形成されている。その複数の隔壁どうしの間ごとに、プラズマ放電によって発生した紫外線によって励起されて例えば赤（Ｒ）、緑（Ｇ）、青（Ｂ）のような各色にそれぞれ対応した発光を行うための蛍光体層１１１ｒ（Ｒ）、１１１ｇ（Ｇ）、１１１ｂ（Ｂ）が、その３色（Ｒ，Ｇ，Ｂ）に対応して例えばＲ，Ｇ，Ｂ，Ｒ，Ｇ，Ｂ…のような順番で各々塗布されている。
【００３２】
第１のガラス基板１０１と第２のガラス基板１０２とを所定の間隙を設けて対向配置してなる表示容器内には、例えばＮｅ（ネオン）ガスのようなプラズマ放電に適したガスが気密封入されている。
【００３３】
走査電極駆動回路２１は、１走査ラインごとに図３に示したような走査電圧波形を第２の放電維持電極１０４に対して走査選択的に印加するものである。さらに詳細には、この走査電極駆動回路は、一つの走査ラインに着目すると、電荷の書き込みおよび維持が行われない期間中（後述するｔｓおよびｔｗ以外の期間中）には第１の電位を出力し、電荷を書き込んで放電を開始させるための期間中（ｔｓ）には走査パルスである第２の電位を出力し、その第２の電位の出力に続いて放電を維持する期間中には第３の電位を出力する。この第３の電位は、第１の電位と第２の電位との間の電位であって画像信号パルスと重畳しても放電が開始することのない状態となるような範囲内の電位である。
【００３４】
走査電極駆動回路２１から出力される走査電圧波形は、図３（Ａ）〜（Ｃ）に示したようなものであるが、走査パルスである第２の電位をそのデューティ期間であるｔｓずつずらしながら次の走査ラインに線順次に出力して行き、各走査ラインでは、走査パルスのデューティ期間の次には第３の電位を期間ｔｗに亘って出力する。この第３の電位についてもそれ自体のデューティ期間であるｔｗずつずらしながら次の走査ラインに線順次に出力して行くようにする。この第３の電位の出力デューティｔｗは、第２の電位のデューティ期間ｔｓの整数倍の値で、例えば通常の総画素数のＰＤＰを駆動する場合には４〜１０μｓ程度が好適である。
【００３５】
共通電極駆動回路２２は、第１の放電維持電極１０３に対して共通電位を出力するもので、その共通電位は一般的な値に設定して構わない。
【００３６】
アドレス電極駆動回路２３は、走査パルスと重畳して各画素の放電・非放電を選択するための画像信号パルスをアドレス電極１０７に対して出力し、印加するものである。この画像信号パルス電位は一般的な値に設定して構わない。
【００３７】
制御回路２４は、走査電極駆動回路２１、共通電極駆動回路２２、アドレス電極駆動回路２３の動作を制御するものである。
【００３８】
次に、上記プラズマディスプレイ装置の作用について説明する。
【００３９】
いわゆるアドレス期間中には、走査電極駆動回路２１からの出力とアドレス電極駆動回路２３からの出力とがそれぞれＰＤＰ２０の所定の走査ラインとアドレスラインとに印加されて、そのＰＤＰ２０の全画素には表示画像に対応した電荷が書き込まれる。それに引き続くサステイン期間では、走査電極駆動回路２１と共通電極駆動回路２２とから交互に出力されるパルスによって、アドレス期間中に選択された画素の発光が継続される。
【００４０】
アドレス放電は、外部から印加される電圧と壁電圧とが重畳された電圧がパルス時間内でセレクト−アドレス間の放電開始電圧を上回ることによって発生する。本実施の形態に係るプラズマディスプレイ装置では、期間ｔｗ内では、放電が開始しないように、かつ選択画素の電荷を維持することができるような範囲内の電位に設定された第３の電位を走査電極駆動回路２１が出力し、それを第２の放電維持電極１０４に印加する。
【００４１】
なお、期間ｔｓ内では、選択画素（発光することが選択された画素）で画像信号パルスと重畳して放電が開始するように電位が設定された第２の電位を出力し、それを第２の放電維持電極１０４に印加する。
【００４２】
放電は外部から印加された電圧と壁電圧とが重畳された電圧と、その電圧が印加されている時間との関数によって確率的に発生する。つまり、電圧が高く、また印加時間が長いほど、放電しやすい傾向にある。そこで、走査パルスとして図３（Ａ）〜（Ｃ）に示したような走査電圧波形を出力することにより、第２の電位の出力〜印加によってアドレス放電の発生が開始されると、その開始直後から期間ｔｗに亘って出力〜印加される第３の電位によって安定的な電荷の書き込みおよび放電の維持が達成される。
【００４３】
これにより、１ラインの正味の選択期間ｔｓを狭めても、アドレス放電（選択画素の放電）の安定化を実現することが可能となり、その結果、多画素化やサブフィールドを増やしても輝度の低下等の引き起こすことなく、画像表示のさらなる高品位化・高精細化を実現することができる。
【００４４】
ここで、走査電極駆動回路２１において図３に示したような走査電圧波形を発生するための、より具体的な回路構成としては、第１の電位と第２の電位との電位差を発生させる電源と、第２の電位と第３の電位との電位差を発生させる電源とを備えており、それらをスイッチングによって選択して出力を行う、という回路などが可能である。あるいは、第１の電位と第３の電位との電位差を発生する電源を備えると共に、第２の電位を発生させるための電気容量を備えた回路なども可能である。
【００４５】
あるいは、図４，図５，図６に示したようなＬＣ共振によって本発明の駆動波形を実現するための回路構成を用いることなども可能である。
【００４６】
すなわち、回路に接続された放電経路の容量Ｃと抵抗Ｒに対して、式；Ｑ０　＝（Ｌ／Ｃ）１／２／Ｒ＞０．５を満たすようにインダクタンスＬを設定することで、そのＬＣ共振によって電圧波形のオーバーシュートを作ることができる。
【００４７】
上式において、抵抗Ｒ、容量Ｃは、ＰＤＰ２０および回路系（走査電極駆動回路２１、共通電極４駆動回路２２、アドレス電極駆動回路２３）に存在する値であり、省電力の観点からも小さいことが望ましい。従って、抵抗Ｒ、容量Ｃとして走査電極駆動回路２１やアドレス電極駆動回路２３に存在している電気抵抗や電気容量を用いると共に、上式を満足するようなＬを追加することで、走査電極駆動回路２１から出力される走査パルスがＰＤＰ２０における第２の放電維持電極１０４に印加されたときのオーバーシュートを制御することが可能である。
【００４８】
図４は、走査パルス出力時にＬ（インダクタンス）３８を加える方式を具現化した回路の一例を表したものである。図５はスイッチ３２，３３の片側にＬ３８を加える方式を具現化した回路の一例を表したものであり、立下り時のみオーバーシュートを作ることができる。図６は電源３５の下流側にＬ３８を加える方式を具現化した回路の一例を表したものであり、やはり立下り時のみオーバーシュートを発生することができるが、さらにそれに加えて、スキャンドライバＩＣなどへの適用も容易なものとなっている。
【００４９】
このような期間ｔｓに亘る走査パルスの後にオーバーシュートを作る場合の、印加電圧波形としては、図７（Ａ）〜（Ｃ）に模式的に表したようなものとなる。この場合、走査パルスの直後から期間ｔｗに亘る第２の電位は、図３に示したような矩形波状（あるいはそれに若干の波形鈍りが生じたものなど）とは異なり、エクスポネンシャル（ｅｘｐｏｎｅｎｔｉａｌ）な波形となる。従ってこの場合には、実質的にそれが期間ｔｗ内で他の走査ラインに放電を開始させるなどの悪影響を与えることのない実効電位に設定することが望ましい。
【００５０】
【発明の効果】
以上説明したように、請求項１ないし６のいずれかに記載のプラズマディスプレイ装置または請求項７ないし１２のいずれかに記載のプラズマディスプレイ装置の駆動方法または請求項１３ないし１８のいずれかに記載のプラズマディスプレイ駆動回路によれば、ある１つの走査ラインへと出力される走査電圧波形は、第１の電位から第２の電位に変化し、第１と第２の間にある第３の電位に変化した後、第１の電位に戻る波形となるように設定し、他方、アドレス電極には一般的な波形方式の画像信号パルスが印加されるように設定したので、第２の電位でアドレス放電が開始すると、その第２の電位の後に継続して出力（印加）される第３の電位によって、近隣の他の走査ライン（放電維持電極）には走査電圧波形に起因したクロストークのような悪影響を与えることなく、より長い時間に亘っての、安定的な放電のための電荷の書き込みないし維持が行われることが可能となり、ひいては画像表示のさらなる高品位化・高精細化を図るためにＳＦ数を増やすことや多画素化や多階調表示を行うためにアドレス期間を短縮しても、画質劣化を生ずることなく、表示画像の十分な輝度を得ることが可能になる。
【図面の簡単な説明】
【図１】本発明の一実施の形態に係るプラズマディスプレイ装置の概要構成を表した図である。
【図２】図１に示したプラズマディスプレイ装置におけるＰＤＰを模式的に表した図である。
【図３】１走査ラインごとに第２の放電維持電極に対して走査選択的に印加される走査電圧波形の一例を表した図である。
【図４】走査パルス出力時にインダクタンスＬを加える方式を具現化した回路の一例を表した図である。
【図５】スイッチの片側にＬを加える方式を具現化した回路の一例を表した図である。
【図６】電源の下流側にＬを加える方式を具現化した回路の一例を表した図である。
【図７】期間ｔｓに亘る走査パルスの後にオーバーシュートを作った場合の印加電圧波形の一例を表した図である。
【符号の説明】
２０…ＰＤＰ、２１…走査電極駆動回路、２２…共通電極駆動回路、２３…映像信号回路、２４…制御回路、１０１…第１のガラス基板、１０２…第２のガラス基板、１０３…第１の放電維持電極、１０４…第２の放電維持電極、１０３ｂ、１０４ｂ…バス電極、１０６…隔壁、１０７…アドレス電極、１０７…アドレス電極、１０９…誘電体層、１１０…保護層，１１１ｒ，１１１ｇ，１１１ｂ…蛍光体
【図１】
2004029096.tif 000003
【図２】
2004029096.tif 000004
【図３】
2004029096.tif 000005
【図４】
2004029096.tif 000006
【図５】
2004029096.tif 000007
【図６】
2004029096.tif 000008
【図７】
2004029096.tif 000009